(57)【要約】【課題】水泳時のクロール又は背泳ぎにおける腰部の上下、横揺れ、及びねじり運動が可能で、使用者がうつ伏せの状態で使用可能な腰部揺動装置を提供する。【解決手段】基台ケース１内に左右一対の揺動アーム２・２を配設してそれらのアーム基端部２ａを左右方向へ揺動可能に軸支するとともに、それらのアーム先端部２ｂで腰部支持手段５を左右方向へ揺動可能に軸支する。アーム基端部２ａの左右方向の揺動支軸間距離Ｊを、アーム先端部の左右方向の揺動支軸間距離Ｋよりも大きく設定し、揺動アーム２又は腰部支持手段５を揺動手段１０で揺動させる。【選択図】　図１
2004033679.tif 000002
【特許請求の範囲】
【請求項１】
腰部支持手段（５）を左右に揺さぶることにより、腰部の横揺れ運動を生じるように構成した腰部揺動装置において、
基台ケース（１）内に左右一対の揺動アーム（２・２）を配設してそれらのアーム基端部（２ａ）を左右方向へ揺動可能に軸支するとともに、それらのアーム先端部（２ｂ）で上記腰部支持手段（５）を左右方向へ揺動可能に軸支し、
上記アーム基端部（２ａ）の左右方向の揺動支軸間距離（Ｊ）を、アーム先端部（２ｂ）の左右方向の揺動支軸間距離（Ｋ）よりも大きく設定し、上記揺動アーム（２）又は上記腰部支持手段（５）を揺動手段（１０）で揺動させるように構成した、ことを特徴とする腰部揺動装置。
【請求項２】
請求項１に記載の腰部揺動装置において、
上記揺動手段（１０）は自動クランク揺動機構から成り、この自動クランク揺動機構（１０）により上記腰部支持手段（５）を往復揺動させるように構成した、ことを特徴とする腰部揺動装置。
【請求項３】
請求項１又は請求項２に記載の腰部揺動装置において、
上記揺動手段（１０）により腰部支持手段（５）を毎分４０〜５０回往復揺動させるように構成した、ことを特徴とする腰部揺動装置。
【発明の詳細な説明】
【０００１】
【発明の属する技術分野】
本発明は、腰部揺動装置に関し、特に腰部をひねりながら揺動する装置に関する。
【０００２】
【従来の技術】
近年デスクワークや車の運転などによる腰痛が激増している。その腰痛対策の一つとして、腰部をほぐすための腰部揺動装置が提案されている。この種の腰部揺動装置としては、従来より例えば図３に示すものが知られている。
【０００３】
この従来例は、図３に示すように、揺動自在のパイプ本体２０と、そのパイプ本体２０の左右の両辺部２１・２１に架着された腰部支持ベルト２５と、左右の両辺部２１・２１のコーナ部に固設された取手２６・２６から成り、パイプ本体２０は、上記両辺部２１・２１と、その両辺部２１・２１の前後両端から垂下された前後の垂下部分２２ａ・２２ｂと、それらの前方垂下部分同士２２ａ・２２ａ及び後方垂下部分同士２２ｂ・２２ｂを一連に連接する前後一対の底辺円弧部分２３・２３とから構成されている。
【０００４】
この腰部揺動装置によれば、図４に示すように、腰部支持ベルト２５に腰を乗せて寝そべり、左右の取手２６・２６を握り左右に揺さぶることにより、腰部の横揺れ運動で体をほぐし、骨格の歪を整えるのに役立つと言われている。なお、図４中の符号Ｍは人体を示す。
【０００５】
【発明が解決しようとする課題】
しかしながら、この従来装置によれば、以下の点で改善の余地が有る。
即ち、この従来装置では、腰部支持ベルト２５に腰を乗せて寝そべり、左右の取手２６・２６を握り左右に揺さぶることにより、腰部の横揺れ運動を生じるが、その横揺れ運動は、腰部支持ベルト２５がパイプ本体２０の底辺円弧部分２３に沿って揺動する一種のブランコ運動（揺動中心が一点に集中する）に過ぎないので、整体学的には十分とは言えない。つまり、整体学的には、水泳時のクロール又は背泳ぎにおける腰部の上下、横揺れ、及びねじり運動が最も望ましいとされる。また、上記従来例では、使用者が左右の取手２６・２６を握り、自力で横揺れ運動するものであるから、うつ伏せの状態では自力で使用できない。
【０００６】
本発明はこのような事情に鑑みてなされたもので、その目的は、整体学上最も望ましいとされる、水泳時のクロール又は背泳ぎにおける腰部の上下、横揺れ、及びねじり運動が可能で、使用者がうつ伏せの状態でも自力で使用可能な腰部揺動装置を提供することにある。
【０００７】
【課題を解決するための手段】
本発明は、腰部支持手段５を左右に揺さぶることにより、腰部の横揺れとねじり運動を生じるように構成した腰部揺動装置において、以下のように構成したことを特徴とする。
即ち、請求項１に記載の発明は、例えば図１〜図２に示すように、基台ケース１内に左右一対の揺動アーム２・２を配設してそれらのアーム基端部２ａを左右方向へ揺動可能に軸支するとともに、それらのアーム先端部２ｂで上記腰部支持手段５を左右方向へ揺動可能に軸支し、上記アーム基端部２ａの左右方向の揺動支軸間距離Ｊを、アーム先端部の左右方向の揺動支軸間距離Ｋよりも大きく設定し、上記揺動アーム２又は上記腰部支持手段５を揺動手段１０で揺動させるように構成したことを特徴とする。
【０００８】
請求項２に記載の発明は、請求項１に記載の腰部揺動装置において、上記揺動手段１０は自動クランク揺動機構から成り、この自動クランク揺動機構１０により上記腰部支持手段５を往復揺動させるように構成したことを特徴とする。
【０００９】
請求項３に記載の発明は、請求項１又は請求項２に記載の腰部揺動装置において、上記揺動手段１０により腰部支持手段５を毎分４０〜５０回往復揺動させるように構成したことを特徴とする。
【００１０】
【発明の作用・効果】
本発明によれば、以下の作用・効果を奏する。
（イ）請求項１に記載の発明では、基台ケース１内に左右一対の揺動アーム２・２を配設してそれらのアーム基端部２ａを左右方向へ揺動可能に軸支するとともに、それらのアーム先端部２ｂで上記腰部支持手段５を左右方向へ揺動可能に軸支し、上記アーム基端部２ａの左右方向の揺動支軸間距離Ｊを、アーム先端部の左右方向の揺動支軸間距離Ｋよりも大きく設定し、上記揺動アーム２又は上記腰部支持手段５を揺動手段１０で揺動させるように構成したことから、整体学上最も望ましいとされる、水泳時のクロール又は背泳ぎにおける腰部の上下、横揺れ、及びねじり運動が可能になる。
【００１１】
即ち、本発明によれば、揺動アーム２のアーム基端部２ａの左右方向の揺動支軸間距離Ｊを、アーム先端部の左右方向の揺動支軸間距離Ｋよりも大きく設定したので、揺動手段１０で揺動される上記腰部支持手段５は、図２に示すような揺動軌跡を示す。ここで、図２中の符号５Ｃは上記腰部支持手段５が中央部に位置する状態を示し、符号５Ｌは当該腰部支持手段５が左端に位置する状態を示し、符号５Ｒは当該腰部支持手段５が右端に位置する状態を示す。
【００１２】
図２から明らかなように、腰部支持手段５が中央部に位置するときには、左右に位置するときよりも、その揺動中心がｈだけ高くなり、腰部支持手段５が左右に揺動するときには、その揺動中心が下降してｄ／２づつ左右に変位する。これは水泳時のクロール又は背泳ぎにおける腰部の上下、横揺れ、及びねじり運動に匹敵するものである。つまり、本発明によれば、整体学上最も望ましいとされる、水泳時のクロール又は背泳ぎにおける腰部の上下、横揺れ、及びねじり運動が可能になる。
【００１３】
（ロ）請求項２に記載の発明では、請求項１に記載の腰部揺動装置において、上記揺動手段１０は自動クランク揺動機構から成り、この自動クランク揺動機構１０により上記腰部支持手段５を往復揺動させるように構成したことから、使用者が自力で腰部支持手段５を往復揺動させなくても良いので、使用者がうつ伏せの場合でも楽に使用することができる。
【００１４】
（ハ）請求項３に記載の発明では、請求項１又は請求項２に記載の腰部揺動装置において、上記揺動手段１０により腰部支持手段５を毎分４０〜５０回往復揺動させるように構成したことから、この場合の腰部の運動は、１０分間で約８００回〜１０００回のクロール又は背泳動作をするのに匹敵する。これによりクロール又は背泳水泳時と同等の腰部運動を安楽に実施することができる。
【００１５】
【発明の実施の形態】
以下、本発明の実施形態を添付図面に基づいて説明する。
図１（Ａ）は本発明に係る腰部揺動装置の基台ケースを横断した状態を示す平面図、図１（Ｂ）はその腰部揺動装置の基台ケースを縦断した状態を示す正面図、図２はその腰部揺動装置の腰部支持手段の揺動軌跡を示す図である。
【００１６】
この腰部揺動装置は、図１（Ａ）（Ｂ）に示すように、基台ケース１内に左右一対の揺動アーム２・２を配設してそれらのアーム基端部２ａを左右方向へ揺動可能に軸支するとともに、それらのアーム先端部２ｂで上記腰部支持手段５を左右方向へ揺動可能に軸支し、上記アーム基端部２ａの左右方向の揺動支軸間距離Ｊを、アーム先端部の左右方向の揺動支軸間距離Ｋよりも大きく設定し、上記腰部支持手段５を揺動手段１０で揺動させるように構成されている。上記構成は、整体学上最も望ましいとされる、水泳時のクロール又は背泳ぎにおける腰部の上下、横揺れ、及びねじり運動が可能となるように意図したものである。以下、詳細に説明する。
【００１７】
上記基台ケース１は、鋼板で形成された直方体上面の所要部を開口して上記腰部支持手段５を当該開口部から上方へ臨ませている。また、上記腰部支持手段５は、図１（Ｂ）に示すように、鋼材で形成された凹状の支持台板６と、その支持台板上の左右両端部にわたり架着された弾性変形自在のゴム板７とから成り、このゴム板７の上に使用者が腰部を乗せて横たわることができるように構成されている。この場合、使用者は上向き又はうつ伏せに横たわることができる。なお、図１中の符号１６は持ち運び用の取手を示す。
【００１８】
上記腰部支持手段５を左右方向へ揺動可能に支持する四つの揺動アーム２は、基台ケース１内に配設された四つの軸支ボス３によってそのアーム基端部２ａが揺動可能に軸支され、上記腰部支持手段５は、その下面に付設配置された四つの軸支ボス４がそのアーム先端部２ｂで軸支され、左右方向へ揺動可能に支持されている。上記アーム基端部２ａの左右方向の揺動支軸間距離Ｊは、アーム先端部の左右方向の揺動支軸間距離Ｋよりも大きく設定されている。
【００１９】
上記構成によれば、揺動手段１０で揺動される上記腰部支持手段５は、図２に示すような揺動軌跡を示す。即ち、腰部支持手段５が中央部に位置するときには、左右に位置するときよりも、その揺動中心がｈだけ高くなり、腰部支持手段５が左右に揺動するときには、その揺動中心がｄ／２づつ左右に変位する。これは水泳時のクロール又は背泳ぎにおける腰部の上下、横揺れ、及びねじり運動に匹敵するものである。つまり、本発明によれば、整体学上最も望ましいとされる、水泳時のクロール又は背泳ぎにおける腰部の上下、横揺れ、及びねじり運動が可能になる。
【００２０】
上記揺動手段１０は、自動クランク揺動機構から成り、この自動クランク揺動機構１０は、図１（Ａ）（Ｂ）に示すように、駆動モータ１１と、減速機１２と、減速機１２の出力軸１３に固定されたクランクアーム１４と、このクランクアーム１４と前記腰部支持手段５とを連結するクランクロッド１５とから成り、減速機１２を介してクランクアーム１４を回転することにより、クランクロッド１５を介して前記支持台板６に固設された連動アーム８を押し引きし、腰部支持手段５を左右方向へ往復揺動させるように構成されている。
この自動クランク揺動機構１０によれば、使用者が自力で腰部支持手段５を往復揺動させなくても良いので、うつ伏せの場合でも、楽に使用することができる。
【００２１】
上記駆動モータ１１は、図示しない回転制御手段により回転数を変更可能に構成され、減速機１２は、駆動モータ１１の回転速度を約１／３０に減速する。これにより上記自動クランク揺動機構１０は、腰部支持手段５を毎分４０〜５０回往復揺動させるように構成されている。この場合の腰部の運動は、１０分間で約８００回〜１０００回のクロール又は背泳動作をするのに匹敵する。これによりクロール又は背泳水泳時と同等の腰部運動を安楽に実施することができる。
【００２２】
この発明は上記の実施形態に限定されるものではなく、この発明の要旨を変更しない範囲内において、例えば下記のように種々の設計変更を施すことが可能である。
▲１▼上記の実施形態では、揺動手段１０（自動クランク揺動機構）の駆動源として、駆動モータ１１と減速機１２を用いるものについて例示したが、駆動源は、圧縮エアーで作動する出力アームが揺動式のアクチュエータ等を採用することもできる。また、揺動手段１０で直接腰部支持手段５を揺動させるものについて例示したが、直接揺動アーム２を揺動させるようにしても良い。
【００２３】
▲２▼また、腰部支持手段５の具体的な形態やその腰部支持手段５を支える揺動アーム２の配置、個数、あるいは具体的な寸法についても、適宜変更を加えて実施することもできる。
▲３▼さらに、上記の実施形態では、自動クランク揺動機構１０が、腰部支持手段５を毎分４０〜５０回往復揺動させるものについて例示したが、使用者の体調により適宜変更可能に構成することもできる。
【図面の簡単な説明】
【図１】図１（Ａ）は本発明に係る腰部揺動装置の基台ケースを横断した状態を示す平面図、図１（Ｂ）はその腰部揺動装置の基台ケースを縦断した状態を示す正面図である。
【図２】本発明に係る腰部揺動装置の腰部支持手段の揺動軌跡を示す図である。
【図３】従来例に係る腰部揺動装置の斜視図である。
【図４】従来例に係る腰部揺動装置の使用状態を示す左側面図である。
【符号の説明】
１…基台ケース、２…揺動アーム、２ａ…アーム基端部、２ｂ…アーム先端部、５…腰部支持手段、１０…揺動手段（自動クランク揺動機構）、Ｊ…アーム基端部の左右方向の揺動支軸間距離、Ｋ…アーム先端部の左右方向の揺動支軸間距離。
【図１】
2004033679.tif 000003
【図２】
2004033679.tif 000004
【図３】
2004033679.tif 000005
【図４】
2004033679.tif 000006